(57)【要約】【課題】  平均録音時間に応じて、音声録音時の音声データの圧縮率を変化できるようにした携帯電話機を提供する。【解決手段】  開示される携帯電話機は、複数個の録音音声データをそれぞれ音声データ格納領域に格納するメモリ５１と、過去における総録音時間と総録音回数とから求められた平均録音時間を記憶するメモリ５２と、新たな録音音声データが発生したとき、メモリ５１における残り音声データ格納領域のメモリ容量から算出された通常の圧縮率に従ったときの残り録音可能時間と平均録音時間との比較判定を行って、残り録音可能時間が平均録音時間より短くないときは新たな録音音声データを通常の圧縮率に従って残り音声データ格納領域に格納し、残り録音可能時間が平均録音時間より短いときは新たな録音音声データを所定の圧縮率設定基準に応じて設定した圧縮率に従って残り音声データ格納領域に格納するように制御する制御部５とを備えている。【選択図】      図１
2005260654.tif 000002
【特許請求の範囲】
【請求項１】
録音機能を有する携帯電話機であって、複数個の録音音声データをそれぞれ音声データ格納領域に格納する第１のメモリ手段と、過去における総録音時間と総録音回数とから求められた平均録音時間を記憶する第２のメモリ手段と、新たな録音音声データが発生したとき、前記第１のメモリ手段における残り音声データ格納領域のメモリ容量から算出された通常の圧縮率に従ったときの残り録音可能時間と前記平均録音時間との比較判定を行って、残り録音可能時間が前記平均録音時間より短くないときは前記新たな録音音声データを通常の圧縮率に従って前記残り音声データ格納領域に格納するとともに、前記残り録音可能時間が前記平均録音時間より短いときは前記新たな録音音声データを所定の圧縮率設定基準に応じて設定した圧縮率に従って前記残り音声データ格納領域に格納するように制御する制御手段とを備えたことを特徴とする携帯電話機。
【請求項２】
録音機能を有する携帯電話機であって、複数個の録音音声データをそれぞれ音声データ格納領域に格納する第１のメモリ手段と、過去における音声データ録音時間中の最大録音時間を格納する第２のメモリ手段と、新たな録音音声データが発生したとき、前記第１のメモリ手段における残り音声データ格納領域のメモリ容量から算出された通常の圧縮率に従ったときの残り録音可能時間と前記最大録音時間との比較判定を行って、残り録音可能時間が前記最大録音時間より短くないときは前記新たな録音音声データを通常の圧縮率に従って前記残り音声データ格納領域に格納するとともに、前記残り録音可能時間が前記最大録音時間より短いときは前記新たな録音音声データを所定の圧縮率設定基準に応じて設定した圧縮率に従って前記残り音声データ格納領域に格納するように制御する制御手段とを備えたことを特徴とする携帯電話機。
【請求項３】
録音機能を有する携帯電話機であって、複数個の録音音声データをそれぞれ音声データ格納領域に格納する第１のメモリ手段と、過去における総録音時間と総録音回数とから求められた平均録音時間を記憶する第２のメモリ手段と、新たな録音音声データが発生したとき、前記第１のメモリ手段における残り音声データ格納領域のメモリ容量から算出された通常の圧縮率に従ったときの残り録音可能時間と前記平均録音時間との比較判定を行って、残り録音可能時間が前記平均録音時間より短くないときは前記新たな録音音声データを通常の圧縮率に従って前記残り音声データ格納領域に格納するとともに、前記残り録音可能時間が前記平均録音時間より短いときは利用者に以後における予定録音回数の入力を促す画面表示を行って前記予定録音回数が入力されたとき、前記新たな録音音声データを前記残り音声データ格納領域のメモリ容量と前記予定録音回数とから所定の圧縮率設定基準に応じて設定した圧縮率に従って前記残り音声データ格納領域に格納するように制御する制御手段とを備えたことを特徴とする携帯電話機。
【請求項４】
録音機能を有する携帯電話機であって、複数個の録音音声データをそれぞれ音声データ格納領域に格納する第１のメモリ手段と、過去における音声データ録音時間中の最大録音時間を記憶する第２のメモリ手段と、新たな録音音声データが発生したとき、前記第１のメモリ手段における残り音声データ格納領域のメモリ容量から算出された通常の圧縮率に従ったときの残り録音可能時間と前記最大録音時間との比較判定を行って、残り録音可能時間が前記最大録音時間より短くないときは前記新たな録音音声データを通常の圧縮率に従って前記残り音声データ格納領域に格納するとともに、前記残り録音可能時間が前記最大録音時間より短いときは利用者に以後における予定録音回数の入力を促す画面表示を行って前記予定録音回数が入力されたとき、前記新たな録音音声データを前記残り音声データ格納領域のメモリ容量と前記予定録音回数とから所定の圧縮率設定基準に応じて設定した圧縮率に従って前記残り音声データ格納領域に格納するように制御する制御手段とを備えたことを特徴とする携帯電話機。
【請求項５】
前記所定の圧縮率設定基準が、残り音声データ格納領域のメモリ容量が十分あるときは音質を重視した低めの圧縮率を設定し、残り音声データ格納領域のメモリ容量が少ないときは圧縮性能を重視した高めの圧縮率を設定し、残り音声データ格納領域のメモリ容量が中間程度であるときは音質と圧縮性能との両立を図る場合の圧縮率を設定するものであることを特徴とする請求項１乃至４のいずれか一記載の携帯電話機。
【請求項６】
録音機能を有する携帯電話機において、複数個の録音音声データをそれぞれ音声データ格納領域に格納するとともに、過去における総録音時間と総録音回数とから求められた平均録音時間を記憶し、新たな録音音声データが発生したとき、残り音声データ格納領域のメモリ容量から算出された通常の圧縮率に従ったときの残り録音可能時間と前記平均録音時間との比較判定を行って、残り録音可能時間が前記平均録音時間より短くないときは前記新たな録音音声データを通常の圧縮率に従って前記残り音声データ格納領域に格納するとともに、前記残り録音可能時間が前記平均録音時間より短いときは前記新たな録音音声データを所定の圧縮率設定基準に応じて設定した圧縮率に従って前記残り音声データ格納領域に格納することを特徴とする携帯電話機の音声データ録音時の圧縮率設定方法。
【請求項７】
録音機能を有する携帯電話機において、複数個の録音音声データをそれぞれ音声データ格納領域に格納するとともに、過去における音声データ録音時間中の最大録音時間を記憶し、新たな録音音声データが発生したとき、残り音声データ格納領域のメモリ容量から算出された通常の圧縮率に従ったときの残り録音可能時間と前記最大録音時間との比較判定を行って、残り録音可能時間が前記最大録音時間より短くないときは前記新たな録音音声データを通常の圧縮率に従って前記残り音声データ格納領域に格納するとともに、前記残り録音可能時間が前記最大録音時間より短いときは前記新たな録音音声データを所定の圧縮率設定基準に応じて設定した圧縮率に従って前記残り音声データ格納領域に格納することを特徴とする携帯電話機の音声データ録音時の圧縮率設定方法。
【請求項８】
録音機能を有する携帯電話機において、複数個の録音音声データをそれぞれ音声データ格納領域に格納するとともに、過去における総録音時間と総録音回数とから求められた平均録音時間を記憶し、新たな録音音声データが発生したとき、残り音声データ格納領域のメモリ容量から算出された通常の圧縮率に従ったときの残り録音可能時間と前記平均録音時間との比較判定を行って、残り録音可能時間が前記平均録音時間より短くないときは前記新たな録音音声データを通常の圧縮率に従って前記残り音声データ格納領域に格納するとともに、前記残り録音可能時間が前記平均録音時間より短いときは利用者に以後における予定録音回数の入力を促す画面表示を行って前記予定録音回数が入力されたとき、前記新たな録音音声データを前記残り音声データ格納領域のメモリ容量と前記予定録音回数とから所定の圧縮率設定基準に応じて設定した圧縮率に従って前記残り音声データ格納領域に格納することを特徴とする携帯電話機の音声データ録音時の圧縮率設定方法。
【請求項９】
録音機能を有する携帯電話機において、複数個の録音音声データをそれぞれ音声データ格納領域に格納するとともに、過去における音声データ録音時間中の最大録音時間を記憶し、新たな録音音声データが発生したとき、残り音声データ格納領域のメモリ容量から算出された通常の圧縮率に従ったときの残り録音可能時間と前記最大録音時間との比較判定を行って、残り録音可能時間が前記最大録音時間より短くないときは前記新たな録音音声データを通常の圧縮率に従って前記残り音声データ格納領域に格納するとともに、前記残り録音可能時間が前記最大録音時間より短いときは利用者に以後における予定録音回数の入力を促す画面表示を行って前記予定録音回数が入力されたとき、前記新たな録音音声データを前記残り音声データ格納領域のメモリ容量と前記予定録音回数とから所定の圧縮率設定基準に応じて設定した圧縮率に従って前記残り音声データ格納領域に格納することを特徴とする携帯電話機の音声データ録音時の圧縮率設定方法。
【請求項１０】
前記所定の圧縮率設定基準が、残り音声データ格納領域のメモリ容量が十分あるときは音質を重視した低めの圧縮率を設定し、残り音声データ格納領域のメモリ容量が少ないときは圧縮性能を重視した高めの圧縮率を設定し、残り音声データ格納領域のメモリ容量が中間程度であるときは音質と圧縮性能との両立を図る場合の圧縮率を設定するものであることを特徴とする請求項５乃至９のいずれか一記載の携帯電話機の音声データ録音時の圧縮率設定方法。
【発明の詳細な説明】
【技術分野】
【０００１】
この発明は、携帯電話機に係り、特にそのＩＣレコーダに対する音声データ録音時の残り録音可能時間における圧縮率を簡単な操作で設定可能にした、携帯電話機およびその音声データ録音時の圧縮率設定方法に関する。
【背景技術】
【０００２】
携帯電話機等のＩＣレコーダにおいては、その記憶容量の関係から録音可能時間が限られている。そこで、ＩＣレコーダを使用する際に、残りの録音可能時間が使用者が要求する録音時間に満たない場合には、従来の機能では、使用者が音声データ録音時の圧縮率を予め設定する必要があって、使用者にとって操作量の増大を招いていた。
また、圧縮率の変更を行わない場合には、十分な録音時間の確保を行うことができなかった。
【０００３】
これに対して、特許文献１においては、ディスクにおける記録可能な領域の容量（残量）を読み取ってこれを表示し、使用者が、記録しようとする情報の記録時間と、そのために使用すべき記録容量とを入力することにって、平均伝送レートを演算して、この平均伝送レートに対応する量子化幅でビデオデータをＤＣＴ処理して量子化して、ディスクに間欠的に記録する技術が開示されている。
また、特許文献２においては、メモリに記録可能なデータ容量を取得して、記録データ量を予め設定されたビットレートに従って圧縮したときの圧縮データ量を算出し、記録可能なデータ容量と圧縮データ量との比較結果を参照して、メモリに記録する際のデータのビットレートを決定して、このビットレートに基づいてデータを圧縮して記録する技術が開示されている。
【特許文献１】特開平６−７６４７４
【特許文献２】特開２００２−１９６７９７
【発明の開示】
【発明が解決しようとする課題】
【０００４】
従来のＩＣレコーダでは、残りの録音可能時間が、所望の録音時間に満たない場合には、使用者がメモリの残容量に対応して音声データ録音時の圧縮率を予め設定する必要があるため、操作量の増大を招くという問題があった。また、圧縮率の変更を行わない場合には、十分な録音時間の確保が不可能になるという課題があった。
【０００５】
これに対して、特許文献１記載の技術では、メモリの残容量を取得するとともに記録すべきデータ容量を取得することによって、記録すべきデータ容量が大きい場合には、自動的にビットレートを変更するようにしており、また、特許文献２記載の技術では、使用者が記録すべき情報量と記録時間を入力し、記録可能な容量を読み取って、平均伝送レートを算出するようにしている。
しかしながら、これらの公知例では、圧縮率を変更する際における、メモリ残容量と比較すべきデータの内容とその取得方法とが必ずしも明確でないという問題がある。
【０００６】
この発明は上述の事情に鑑みてなされたものであって、使用者がＩＣレコーダに対して圧縮率を設定するための操作量を削減することが可能であるとともに十分な録音時間の確保が容易な、携帯電話機およびその音声データ録音時の圧縮率設定方法を提供することを目的としている。
【課題を解決するための手段】
【０００７】
上記課題を解決するため、請求項１記載の発明は携帯電話機に係り、録音機能を有する携帯電話機であって、複数個の録音音声データをそれぞれ音声データ格納領域に格納する第１のメモリ手段と、過去における総録音時間と総録音回数とから求められた平均録音時間を記憶する第２のメモリ手段と、新たな録音音声データが発生したとき、上記第１のメモリ手段における残り音声データ格納領域のメモリ容量から算出された通常の圧縮率に従ったときの残り録音可能時間と上記平均録音時間との比較判定を行って、残り録音可能時間が上記平均録音時間より短くないときは上記新たな録音音声データを通常の圧縮率に従って上記残り音声データ格納領域に格納するとともに、上記残り録音可能時間が上記平均録音時間より短いときは上記新たな録音音声データを所定の圧縮率設定基準に応じて設定した圧縮率に従って上記残り音声データ格納領域に格納するように制御する制御手段とを備えたことを特徴としている。
【０００８】
また、請求項２記載の発明は携帯電話機に係り、録音機能を有する携帯電話機であって、複数個の録音音声データをそれぞれ音声データ格納領域に格納する第１のメモリ手段と、過去における音声データ録音時間中の最大録音時間を格納する第２のメモリ手段と、新たな録音音声データが発生したとき、上記第１のメモリ手段における残り音声データ格納領域のメモリ容量から算出された通常の圧縮率に従ったときの残り録音可能時間と上記最大録音時間との比較判定を行って、残り録音可能時間が上記最大録音時間より短くないときは上記新たな録音音声データを通常の圧縮率に従って上記残り音声データ格納領域に格納するとともに、上記残り録音可能時間が上記最大録音時間より短いときは上記新たな録音音声データを所定の圧縮率設定基準に応じて設定した圧縮率に従って上記残り音声データ格納領域に格納するように制御する制御手段とを備えたことを特徴としている。
【０００９】
また、請求項３記載の発明は携帯電話機に係り、録音機能を有する携帯電話機であって、複数個の録音音声データをそれぞれ音声データ格納領域に格納する第１のメモリ手段と、過去における総録音時間と総録音回数とから求められた平均録音時間を記憶する第２のメモリ手段と、新たな録音音声データが発生したとき、上記第１のメモリ手段における残り音声データ格納領域のメモリ容量から算出された通常の圧縮率に従ったときの残り録音可能時間と上記平均録音時間との比較判定を行って、残り録音可能時間が上記平均録音時間より短くないときは上記新たな録音音声データを通常の圧縮率に従って上記残り音声データ格納領域に格納するとともに、上記残り録音可能時間が上記平均録音時間より短いときは利用者に以後における予定録音回数の入力を促す画面表示を行って上記予定録音回数が入力されたとき、上記新たな録音音声データを上記残り音声データ格納領域のメモリ容量と上記予定録音回数とから所定の圧縮率設定基準に応じて設定した圧縮率に従って上記残り音声データ格納領域に格納するように制御する制御手段とを備えたことを特徴としている。
【００１０】
また、請求項４記載の発明は携帯電話機に係り、録音機能を有する携帯電話機であって、複数個の録音音声データをそれぞれ音声データ格納領域に格納する第１のメモリ手段と、過去における音声データ録音時間中の最大録音時間を記憶する第２のメモリ手段と、新たな録音音声データが発生したとき、上記第１のメモリ手段における残り音声データ格納領域のメモリ容量から算出された通常の圧縮率に従ったときの残り録音可能時間と上記最大録音時間との比較判定を行って、残り録音可能時間が上記最大録音時間より短くないときは上記新たな録音音声データを通常の圧縮率に従って上記残り音声データ格納領域に格納するとともに、上記残り録音可能時間が上記最大録音時間より短いときは利用者に以後における予定録音回数の入力を促す画面表示を行って上記予定録音回数が入力されたとき、上記新たな録音音声データを上記残り音声データ格納領域のメモリ容量と上記予定録音回数とから所定の圧縮率設定基準に応じて設定した圧縮率に従って上記残り音声データ格納領域に格納するように制御する制御手段とを備えたことを特徴としている。
【００１１】
また、請求項５記載の発明は、請求項１乃至４のいずれか一記載の携帯電話機に係り、上記所定の圧縮率設定基準が、残り音声データ格納領域のメモリ容量が十分あるときは音質を重視した低めの圧縮率を設定し、残り音声データ格納領域のメモリ容量が少ないときは圧縮性能を重視した高めの圧縮率を設定し、残り音声データ格納領域のメモリ容量が中間程度であるときは音質と圧縮性能との両立を図る場合の圧縮率を設定するものであることを特徴としている。
【００１２】
また、請求項６記載の発明は携帯電話機の音声データ録音時の圧縮率設定方法に係り、録音機能を有する携帯電話機において、複数個の録音音声データをそれぞれ音声データ格納領域に格納するとともに、過去における総録音時間と総録音回数とから求められた平均録音時間を記憶し、新たな録音音声データが発生したとき、残り音声データ格納領域のメモリ容量から算出された通常の圧縮率に従ったときの残り録音可能時間と上記平均録音時間との比較判定を行って、残り録音可能時間が上記平均録音時間より短くないときは上記新たな録音音声データを通常の圧縮率に従って上記残り音声データ格納領域に格納するとともに、上記残り録音可能時間が上記平均録音時間より短いときは上記新たな録音音声データを所定の圧縮率設定基準に応じて設定した圧縮率に従って上記残り音声データ格納領域に格納することを特徴としている。
【００１３】
また、請求項７記載の発明は携帯電話機の音声データ録音時の圧縮率設定方法に係り、録音機能を有する携帯電話機において、複数個の録音音声データをそれぞれ音声データ格納領域に格納するとともに、過去における音声データ録音時間中の最大録音時間を記憶し、新たな録音音声データが発生したとき、残り音声データ格納領域のメモリ容量から算出された通常の圧縮率に従ったときの残り録音可能時間と上記最大録音時間との比較判定を行って、残り録音可能時間が上記最大録音時間より短くないときは上記新たな録音音声データを通常の圧縮率に従って上記残り音声データ格納領域に格納するとともに、上記残り録音可能時間が上記最大録音時間より短いときは上記新たな録音音声データを所定の圧縮率設定基準に応じて設定した圧縮率に従って上記残り音声データ格納領域に格納することを特徴としている。
【００１４】
また、請求項８記載の発明は携帯電話機の音声データ録音時の圧縮率設定方法に係り、録音機能を有する携帯電話機において、複数個の録音音声データをそれぞれ音声データ格納領域に格納するとともに、過去における総録音時間と総録音回数とから求められた平均録音時間を記憶し、新たな録音音声データが発生したとき、残り音声データ格納領域のメモリ容量から算出された通常の圧縮率に従ったときの残り録音可能時間と上記平均録音時間との比較判定を行って、残り録音可能時間が上記平均録音時間より短くないときは上記新たな録音音声データを通常の圧縮率に従って上記残り音声データ格納領域に格納するとともに、上記残り録音可能時間が上記平均録音時間より短いときは利用者に以後における予定録音回数の入力を促す画面表示を行って上記予定録音回数が入力されたとき、上記新たな録音音声データを上記残り音声データ格納領域のメモリ容量と上記予定録音回数とから所定の圧縮率設定基準に応じて設定した圧縮率に従って上記残り音声データ格納領域に格納することを特徴としている。
【００１５】
また、請求項９記載の発明は携帯電話機の音声データ録音時の圧縮率設定方法に係り、録音機能を有する携帯電話機において、複数個の録音音声データをそれぞれ音声データ格納領域に格納するとともに、過去における音声データ録音時間中の最大録音時間を記憶し、新たな録音音声データが発生したとき、残り音声データ格納領域のメモリ容量から算出された通常の圧縮率に従ったときの残り録音可能時間と上記最大録音時間との比較判定を行って、残り録音可能時間が上記最大録音時間より短くないときは上記新たな録音音声データを通常の圧縮率に従って上記残り音声データ格納領域に格納するとともに、上記残り録音可能時間が上記最大録音時間より短いときは利用者に以後における予定録音回数の入力を促す画面表示を行って上記予定録音回数が入力されたとき、上記新たな録音音声データを上記残り音声データ格納領域のメモリ容量と上記予定録音回数とから所定の圧縮率設定基準に応じて設定した圧縮率に従って上記残り音声データ格納領域に格納することを特徴としている。
【００１６】
また、請求項１０記載の発明は、請求項５乃至９のいずれか一記載の携帯電話機の音声データ録音時の圧縮率設定方法に係り、上記所定の圧縮率設定基準が、残り音声データ格納領域のメモリ容量が十分あるときは音質を重視した低めの圧縮率を設定し、残り音声データ格納領域のメモリ容量が少ないときは圧縮性能を重視した高めの圧縮率を設定し、残り音声データ格納領域のメモリ容量が中間程度であるときは音質と圧縮性能との両立を図る場合の圧縮率を設定するものであることを特徴としている。
【発明の効果】
【００１７】
本発明の携帯電話機によれば、携帯電話機における平均録音時間または最大録音時間のデータを利用して、残り音声データ格納領域のメモリ容量に応じた圧縮率を自動的に設定して録音を行うことができるので、録音時における使用者の圧縮率設定の操作量を削減することができ、従って、録音操作の簡略化が可能となる。
また、本発明の携帯電話機では、録音時の圧縮率を上げることによって、録音可能時間が延長されるので、メモリの利用効率を向上することができる。
【発明を実施するための最良の形態】
【００１８】
録音機能を有する携帯電話機において、複数個の録音音声データをそれぞれ音声データ格納領域に格納する第１のメモリ手段と、過去における総録音時間と総録音回数とから求められた平均録音時間を記憶する第２のメモリ手段と、新たな録音音声データが発生したとき、第１のメモリ手段における残り音声データ格納領域のメモリ容量から算出された通常の圧縮率に従ったときの残り録音可能時間と上記平均録音時間との比較判定を行って、残り録音可能時間が平均録音時間より短くないときは新たな録音音声データを通常の圧縮率に従って残り音声データ格納領域に格納するとともに、残り録音可能時間が平均録音時間より短いときは新たな録音音声データを所定の圧縮率設定基準に応じて設定した圧縮率に従って残り音声データ格納領域に格納するように制御する制御手段とを備える。
【実施例１】
【００１９】
図１は、本発明の第１実施例である携帯電話機の構成を示すブロック図、図２は、本実施例の携帯電話機における音声データを格納するためのファイルの構成を示す図、図３は、本実施例の携帯電話機における音声データの格納方法を説明するための図、図４は、本実施例の携帯電話機の動作を示すフローチャート、図５は、本実施例の携帯電話機における音声データ録音時の圧縮率の設定基準を示す図である。
【００２０】
この例の携帯電話機は、図１に示すように、アンテナ１と、無線部２と、表示部３と、操作部４と、制御部５と、音声処理部６と、スピーカ７と、レシーバ８と、マイク９とから概略構成されている。
アンテナ１は、携帯電話機と図示されない基地局との間で、電波の送受信を行う。無線部２は、アンテナ１で受信した信号から特定周波数の信号を選択し周波数変換を行い復調して、受信データを制御部５に出力し、また制御部５からの送信データを変調して送信周波数の信号を生成し増幅してアンテナ１に供給する。表示部３は、制御部５の制御に応じて、送信時および受信時、所要のデータを可視的に表示する。操作部４は、複数のキー等からなり、携帯電話機の動作に必要な所要の操作入力を行う。制御部５は、無線部２からの受信データを処理して音声信号を生成して音声処理部６に出力し、音声処理部６からの音声信号を処理して送信データを生成して無線部２に出力するとともに、操作部４の状態を監視して、使用者の操作を検出し判断して、操作に基づく処理を行う。音声処理部６は、制御部５からのディジタル信号からなる音声信号をアナログ信号に変換してスピーカ７またはレシーバ８に出力し、マイク９からの音声信号をディジタル信号に変換して制御部５に入力する。
【００２１】
さらに制御部５は、ＣＰＵ５１，メモリ５２，メモリ５３を有し、携帯電話機の音声データを録音するＩＣレコーダ機能においては、マイク９から入力された音声信号を、音声処理部６においてディジタル信号に変換し圧縮して出力する。制御部５は、ＣＰＵ５１の制御に基づいて、圧縮された音声データと付加情報（プレイリスト管理ファイルとトラック管理ファイル）をメモリ５１の音声データ格納領域に格納する。また、総録音時間，総録音回数，最大録音時間および平均録音時間のデータをメモリ５２に格納する。
【００２２】
次に、図２を参照して、携帯電話機における音声データを格納するファイルの構成を説明する。
ＣＰＵ５１は、音声データの格納時、ルートディレクトリ１０１に音声データ用ディレクトリ１０２を格納する。さらに、音声データ用ディレクトリ１０２に音声データ用サブディレクトリ１０３を格納する。
この際、音声データ１個ごとに、音声データ用サブディレクトリを１個作成して格納する。例えば、１個の音声データに対してある音声データ用サブディレクトリを作成して格納したときは、別の１個の音声ディレクトリに対しては、別の音声データ用サブディレクトリを作成して格納するというように、音声データごとに、異なる音声データ用サブディレクトリを作成して格納するものとする。
【００２３】
音声データ用サブディレクトリに格納される音声データは、プレイリスト管理ファイル１０４，トラック管理ファイル１０５および音声データファイル１０６によって構成されている。
プレイリスト管理ファイル１０４には、音声データファイル順（音声データファイル１０６の関連付け情報）を格納する。トラック管理ファイル１０５には、音声データコーディング種別（音声データの符号化種別），サンプリングレート（音声データを採取する周期）等の音声データ格納条件を格納する。音声データファイル１０６には、対応する音声データごとのディジタルデータを格納する。
【００２４】
次に、図３を参照して、この例の携帯電話機における音声データの格納方法を説明する。
図３においては、音声データの格納時、平均録音時間を用いて音声データの圧縮率を決定する方法を示し、（ａ）は、残り録音可能時間が平均録音時間より短い場合、（ｂ）は、残り録音可能時間が平均録音時間より長い場合をそれぞれ示している。
【００２５】
操作部４からの音声データの録音開始イベントによって、図３（ａ）に示すように、メモリ５１における音声データ格納領域２０１に、音声データ１Ａ，音声データ１Ｂ，音声データ１Ｃ，音声データ１Ｄが格納されている状態で、最後の音声データ１Ｆが入力されたとき、制御部５は、音声データ１Ａ，音声データ１Ｂ，音声データ１Ｃ，音声データ１Ｄの平均録音時間を算出する。
制御部５は、算出された平均録音時間と、残り音声データ格納領域メモリ１Ｅのメモリ容量から通常の圧縮率を用いて算出した残り録音可能時間とを比較して、残り録音可能時間が平均録音時間よりも短いと判断した場合には、制御部５は、音声処理部６に所定の圧縮率設定基準に従って音声データ１Ｆを録音可能な圧縮率を設定し、音声処理部６はこの圧縮率によって音声データ１Ｆの録音処理を開始して、音声データ格納領域１Ｅに格納する。
【００２６】
また、図３（ｂ）に示すように、音声データ格納領域２０２に音声データ１Ｇ，音声データ１Ｈ，音声データ１Ｊが格納されている状態で、最後の音声データ１Ｌが入力されたとき、制御部５において、音声データ１Ｇ，音声データ１Ｈ，音声データ１Ｊから算出した平均録音時間と、残り音声データ格納領域１Ｋのメモリ容量から通常の圧縮率を用いて算出した残り録音可能時間とを比較して、残り録音可能時間が平均録音時間よりも長いと判断した場合には、制御部５は、音声処理部６に通常の圧縮率を設定し、音声処理部６はこの圧縮率によって音声データ１Ｌの録音処理を開始して、音声データ格納領域１Ｋの一部に格納する。
【００２７】
次に、図４に示すフローチャートを参照して、この例の携帯電話機の動作を説明する。
制御部５は、操作部４から音声データの録音開始イベントが発生しない場合には、録音開始イベントの発生を待っている（ステップＳ１０１）。操作部４から音声データの録音開始イベントが発生した場合には、メモリ残存量から通常録音時の音声データ圧縮率を用いて算出した残り録音可能時間と、メモリ５２から読み出した平均録音時間とを比較する（ステップＳ１０２）。ステップＳ１０２において、残り録音可能時間が平均録音時間より長いと判断した場合は、音声処理部６に対して通常録音時の圧縮率を設定する（ステップＳ１０３）。また、制御部５は、ステップＳ１０２において、残り録音可能時間が平均録音時間より長くないと判断した場合は、音声処理部６に対して、所定の圧縮率設定基準に従って、残り録音時間が短い場合の圧縮率を設定する（ステップＳ１０４）。
【００２８】
その後、制御部５は、付加情報ファイル（プレイリスト管理ファイル，トラック管理ファイル）と音声データファイルを作成し（ステップＳ１０５）、音声データファイルをオープンする（ステップＳ１０６）。
次に、音声処理部６は、制御部５によって制御されて、マイク９から入力されたアナログ音声データをディジタル信号に変換し圧縮する（ステップＳ１０７）。次に制御部５は、生成されたディジタル信号からなる音声データを、一定量ずつバッファリングして、メモリ５１の音声データ格納領域に格納する（ステップＳ１０８）。
【００２９】
その後、操作部４からの録音終了イベントを監視して（ステップＳ１０９）、録音終了イベントが検出されないときは、ステップＳ１０７からの処理を繰り返して行う。
一方、録音終了イベントが検出された場合は、制御部５は、音声データファイルをクローズし（ステップＳ１１０）、付加情報ファイル（プレイリスト管理ファイル，トラック管理ファイル）を更新して（ステップＳ１１１）、録音時間をメモリ５２に格納し（ステップＳ１１２）、メモリ５２に格納されているすべての録音時間の合計と録音回数とから平均録音時間の再計算を行って、メモリ５２に格納されている平均録音時間を更新して（ステップＳ１１３）、処理を終了する。
【００３０】
次に、図５を参照して、この例の携帯電話機における音声データ録音時の圧縮率の設定基準の例を説明する。
図５において、横軸はメモリ５１の音声データ格納領域の残容量を示し、縦軸はメモリ５１の音声データ格納領域の残容量に応じた、音声処理部６に設定すべき音声データ格納時の圧縮率を示している。
音声処理部６は、図５に示された所定の圧縮率設定基準に従ってマイク９から入力されたアナログ音声の８ビット対数量子化のサンプリングレートを変更することによって、圧縮率を変更することができる。
【００３１】
以下においては、圧縮率変更方法の例を説明する。図５においては、メモリ残容量に対応する音声データ格納時の圧縮率の設定基準の例が示されている。
例えば、メモリ残容量が２Ａ以上のように十分にある場合には、圧縮率を２Ｃに設定する。ここで圧縮率２Ｃは、音声処理部６がマイク９から入力されたアナログ音声の８ビット対数量子化を、８ksample/s の速さで行うことによって６４kbps信号の音声データを得る場合の圧縮率であって、通常録音時に使用する、音質を重視した低めの圧縮率である。
また、メモリ残容量が２Ｂ以下のように少ないときは、圧縮率を２Ｄに設定する。ここで圧縮率２Ｄは、同じく６４kbps信号をＡＤＰＣＭ音声符号化によって２４kbpsに符号化して音声データを得るものであって、音質よりも圧縮性能を重視した高めの圧縮率である。
さらに、メモリ残容量が２Ａと２Ｂの間のように中間程度の場合は、圧縮率を２Ｆに設定する。ここで圧縮率２Ｆは、同じく６４kbps信号をＡＤＰＣＭ音声符号化によって３２kbpsに符号化して音声データを得るであって、音質と圧縮性能との両立を図る場合の圧縮率である。
【００３２】
このように、この例の携帯電話機によれば、携帯電話機における平均録音時間のデータを利用して、残り音声データ格納領域のメモリ容量に応じた圧縮率を自動的に設定して録音を行うことができるので、録音時における使用者の圧縮率設定の操作量を削減することができ、従って、録音操作の簡略化が可能となるとともに、録音時の圧縮率を上げることによって録音可能時間が延長されるので、メモリの利用効率を向上することができる。
【実施例２】
【００３３】
図６は、本発明の第２実施例の携帯電話機における音声データの格納方法を説明するための図である。
この例の場合における、携帯電話機の構成は、図１に示された第１実施例の場合と同様であり、この例の携帯電話機における音声データを格納するファイルの構成は図２に示された第１実施例の場合と同様である。また、この例の携帯電話機の動作フローチャートは、図４に示された第１実施例の場合のフローチャートにおいて、ステップＳ２とステップＳ１３の平均録音時間を最大録音時間に読み替えることによって、そのまま適用することができる。さらに、この例の携帯電話機におけるメモリ残容量に対応する音声データ格納時の圧縮率の設定基準として、図５に示された第１実施例の場合の圧縮率設定基準を適用することができる。
【００３４】
以下、図６を参照して、この例の携帯電話機における音声データの格納方法を説明する。
図６においては、音声データの格納時、使用者が過去において録音した最大録音時間を用いて音声データの圧縮率を決定する方法を示し、（ａ）は、残り録音可能時間が最大録音時間より短い場合、（ｂ）は、残り録音可能時間が最大録音時間より長い場合をそれぞれ示している。
【００３５】
操作部４からのメモリ５１に対する音声データの録音開始イベントによって、図６（ａ）に示すように、メモリ５１における音声データ格納領域３０１に、音声データ２Ａ，音声データ２Ｂ，音声データ２Ｃ，音声データ２Ｄが格納されている状態で、最後の音声データ２Ｆが入力されたとき、制御部５は、音声データ２Ａ，音声データ２Ｂ，音声データ２Ｃ，音声データ２Ｄのそれぞれの録音時間のうちの最大の録音時間を検出する。
制御部５は、検出された最大録音時間と、残り音声データ格納領域２Ｅのメモリ容量から算出した残り録音可能時間とを比較して、残り録音可能時間が最大録音時間よりも短いと判断した場合には、制御部５は、音声処理部６に図５に示されたと同様の圧縮率設定基準に従って、音声データ２Ｆを録音可能な圧縮率を設定し、音声処理部６はこの圧縮率によって音声データ２Ｃの録音処理を開始して、音声データ格納領域２Ｅに格納する。
【００３６】
また、図６（ｂ）に示すように、音声データ格納領域３０２に音声データ２Ｇ，音声データ２Ｈ，音声データ２Ｊが格納されている状態で、最後の音声データ２Ｆが入力されたとき、制御部５において、音声データ２Ｇ，音声データ２Ｈ，音声データ２Ｊから検出した最大録音時間と、残り音声データ格納領域２Ｋのメモリ容量から算出した残り録音可能時間とを比較して、残り録音可能時間が最大録音時間よりも長いと判断した場合には、制御部５は、音声処理部６に通常の圧縮率を設定し、音声処理部４はこの圧縮率によって音声データ２Ｌの録音処理を開始して、音声データ格納領域２Ｋの一部に格納する。
【００３７】
このように、この例の携帯電話機によれば、携帯電話機における最大録音時間のデータを利用して、残り音声データ格納領域のメモリ容量に応じた圧縮率を自動的に設定して録音を行うことができるので、録音時における使用者の圧縮率設定の操作量を削減することができ、従って、録音操作の簡略化が可能となるとともに、録音時の圧縮率を上げることによって録音可能時間が延長されるので、メモリの利用効率を向上することができる。
【実施例３】
【００３８】
図７は、本発明の第３実施例である携帯電話機の動作を示すフローチャートである。
この例の場合における、携帯電話機の構成は、図１に示された第１実施例の場合と同様であり、この例の携帯電話機における音声データを格納するファイルの構成は図２に示された第１実施例の場合と同様である。また、メモリ残容量に対応する音声データ格納時の圧縮率の設定基準も図５に示された第１実施例の場合と同様である。
この例における音声データの格納方法は図３に示された第１実施例の場合とほぼ同様であるが、音声データ録音時に残りの録音可能時間を検出し、平均録音時間を用いて圧縮率の設定を行う際に、利用者が指定した回数分の録音が行えるように圧縮率の設定を行うことができるようにした点が、第１実施例の場合と異なっている。以下においては、第１実施例の場合における音声データの格納方法を示す図３を援用して説明する。
【００３９】
この例の携帯電話機において、操作部４から音声データ録音開始イベントがあったときは、メモリ５１における音声データ格納領域２０１に、音声データ１Ａ，音声データ１Ｂ，音声データ１Ｃ，音声データ１Ｄが格納されている状態で、制御部５において、残り音声データ格納領域１Ｅのメモリ容量から通常の圧縮率を用いて算出した残り録音可能時間が、音声データ１Ａ，音声データ１Ｂ，音声データ１Ｃ，音声データ１Ｄの録音時間から算出した平均録音時間よりも短いと判断した場合、制御部５は、表示部３に対して、利用者が操作部４を操作して、録音を行いたい回数の入力を促すような表示を行わせる。
利用者が操作部４を操作して、録音を行いたい回数を入力すると、制御部５は音声処理部６に対して、図５に示された圧縮率設定基準に従って利用者が入力した利用回数分の録音が可能となる圧縮率を設定して、残り音声データ格納領域１Ｅに対する音声データの録音処理を開始する。
【００４０】
また、音声データ格納領域２０２に、音声データ１Ｇ，音声データ１Ｈ，音声データ１Ｊが格納されている状態で、制御部５において、残り音声データ格納領域１Ｋのメモリ容量から通常の圧縮率を用いて算出した残り録音時間が、音声データ１Ｇ，音声データ１Ｈ，音声データ１Ｊの録音時間から算出した平均録音時間よりも長いと判断した場合、制御部５は、音声処理部６における圧縮率を通常録音時の圧縮率に設定して、音声データ格納領域１Ｋの一部に対する音声データの録音処理を開始する。
【００４１】
以下、図７に示すフローチャートを参照して、この例の携帯電話機の動作を説明する。
制御部５は、操作部４から音声データの録音開始イベントが発生しない場合には、録音開始イベントの発生を待っている（ステップＳ２０１）。操作部４から音声データの録音開始イベントが発生した場合には、制御部５はメモリ残容量から通常録音時の圧縮率を用いて算出した残り録音可能時間と、メモリ５２から読み出した平均録音時間とを比較する（ステップＳ２０２）。ステップＳ２０２において、残り録音時間が平均録音時間より長いと判断した場合は、音声処理部６に対して通常録音時の圧縮率を設定する（ステップＳ２０３）。また、制御部５は、ステップＳ２０２において、残り録音時間が平均録音時間より長くないと判断した場合は、表示部３に対して、利用者が操作部４を操作して録音を行いたい回数の入力を促すような表示を行わせ（ステップＳ２０４）、録音回数が入力されるまで録音回数の入力を促す表示を続ける（ステップＳ２０５）。そして録音回数の入力があったとき、図５に示された圧縮率設定基準に従って音声処理部６における圧縮率を設定する（ステップＳ２０６）。
【００４２】
その後、制御部５は、付加情報ファイルと音声データファイルを作成し（ステップＳ２０７）、音声データファイルをオープンする（ステップＳ２０８）。そしてマイク９から入力されたアナログ音声をディジタル信号に変換して圧縮し（ステップＳ２０９）、生成されたディジタル信号からなる音声データを、一定量ずつバッファリングして、メモリ５１の音声データ格納領域に格納する（ステップＳ２１０）。
そして、操作部４からの録音終了イベントを監視して（ステップＳ２１１）、録音終了イベントが発生しないときはステップＳ２０９からの処理を繰り返して行う。
一方、録音終了イベントが検出されたときは、音声データファイルをクローズし（ステップＳ２１２）、付加情報の更新を行って（ステップＳ２１３）、録音時間をメモリ５２に格納し（ステップＳ２１４）、メモリ５２に格納されているすべての録音時間の合計と録音回数とから平均録音時間の再計算を行って、メモリ５２に格納されている平均録音時間を更新して（ステップＳ２１５）、処理を終了する。
【００４３】
このように、この例の携帯電話機によれば、携帯電話機における平均録音時間のデータを利用して、残り音声データ格納領域のメモリ容量に応じた圧縮率を自動的に設定して録音を行うことができるので、録音時における使用者の圧縮率設定の操作量を削減することができるとともに、この際、利用者の予定録音回数を考慮して残り音声データ格納領域に対する圧縮率の設定を行うので、より効率的に録音可能時間を延長することができ、従ってメモリの利用効率をより向上することが可能になる。
【００４４】
なお、この例においては、平均録音時間のデータを利用して圧縮率の設定を行ったが、平均録音時間に代えて最大録音時間のデータを用いるようにしてもよく、この場合における圧縮率設定時の判定と圧縮率設定の手順等の処理は、平均録音時間に代えて最大録音時間を用いることによってこの例の場合と同様に行うことができる。具体的には、図４に示す第１実施例のフローチャートにおいて、平均録音時間を最大録音時間に読み替えるとともに、図７に示すこの例の場合のフローチャートのように、残り録音可能時間が最大録音時間より短い場合に、利用者に録音回数の入力を促す画面を表示して利用者による録音回数の入力があったとき、圧縮率を所定の基準に従って設定する手順を行うように変更すればよい。なおこの場合も、図５について説明した圧縮率設定基準を他の各実施例の場合と同様に適用することが可能である。
【００４５】
以上、この発明の実施例を図面により詳述してきたが、具体的な構成はこの実施例に限られたものではなく、この発明の要旨を逸脱しない範囲の設計の変更等があってもこの発明に含まれる。例えば、本発明の場合の音声録音時の圧縮率の設定基準として、図５に示す例においては、音質を重視する場合の圧縮率と、圧縮性能を重視する場合の圧縮率と、圧縮性能との両立を図る場合の圧縮率とについて、それぞれ１つずつの例を示したが、本発明はこれらの場合に限るものではなく、本発明において音声録音時に設定可能にする圧縮率の段階数は任意であり、その場合における各圧縮率の値はそれぞれの段階に応じて適当な値を定めればよい。
【産業上の利用可能性】
【００４６】
本発明の音声データ録音時の圧縮率設定方法は、携帯電話機のＩＣレコーダ機能に限らず、圧縮率が可変な他の種類のＩＣレコーダやボイスメモリ等における利用が可能であり、また、動画撮影時における音声圧縮率の設定等、情報機器において音声の録音を行う際に広く利用可能なものである。
【図面の簡単な説明】
【００４７】
【図１】本発明の第１実施例である携帯電話機の構成を示すブロック図である。
【図２】同実施例の携帯電話機における音声データを格納するためのファイルの構成を示す図である。
【図３】同実施例の携帯電話機における音声データの格納方法を説明するための図である。
【図４】同実施例の携帯電話機の動作を示すフローチャートである。
【図５】同実施例の携帯電話機における音声データ録音時の圧縮率の設定基準を示す図である。
【図６】本発明の第２実施例である携帯電話機における音声データの格納方法を説明するための図である。
【図７】本発明の第３実施例である携帯電話機の動作を示すフローチャートである。
【符号の説明】
【００４８】
１    アンテナ
２    無線部
３    表示部
４    操作部
５    制御部（制御手段）
６    音声処理部
７    スピーカ
８    レシーバ
９    マイク
５１    ＣＰＵ（制御手段）
５２    メモリ（メモリ手段）
５３    メモリ（メモリ手段）
【図１】
2005260654.tif 000003
【図２】
2005260654.tif 000004
【図３】
2005260654.tif 000005
【図４】
2005260654.tif 000006
【図５】
2005260654.tif 000007
【図６】
2005260654.tif 000008
【図７】
2005260654.tif 000009